(57)【特許請求の範囲】
【請求項１】
資料を挟んで保管できるファイルにおいて、
表紙部、折り返されて前記表紙部とほぼ同じ大きさの台紙部、前記台紙部の内側に向かって折り返された前記台紙部より幅が狭い折り返し部とから構成される一枚の紙またはプラスチック製シートと、
前記表紙部の側端部に一部が突出して設けられ、前記折り返し部に係合固定することができるタイトル記載兼固定部と、
前記タイトル記載兼固定部が貫通する前記台紙と折り返し部の間、および前記折り返し部に設けられた並列な係合スリットと、
前記折り返し部に設けられた前記資料の幅にほぼ等しい切込みからなる資料挟持スリットと、
から少なくとも構成されていることを特徴とするファイル。
【請求項２】
前記タイトル記載兼固定部および前記並列な係合スリットは、複数個設けられていることを特徴とする請求項１に記載されたファイル。
【請求項３】
前記資料の幅にほぼ等しい資料挟持スリットは、複数設けられていることを特徴とする請求項１または請求項２に記載されたファイル。
【請求項４】
前記資料挟持スリットは、両端部に資料の厚さおよび／または幅を調整する斜めの切込みが連設されていることを特徴とする請求項１から請求項３のいずれか１項に記載されたファイル。
【請求項５】
前記スリットには、補強用裏打ちが施されていることを特徴とする請求項１から請求項４のいずれか１項に記載されたファイル。
【発明の詳細な説明】
【技術分野】
【０００１】
本発明は、資料を挟むための特別な部材あるいは資料に形成された孔に通して固定する特別な部材等が不要な安価なファイルに関するものである。
【背景技術】
【０００２】
図６は従来、市販されている資料を挟むファイルを説明するための図である。ファイル６１は、資料を挟む台紙部６３と、表紙部６２と、前記台紙部６３と表紙部６２とを連結する背表紙６４と、資料を綴じる取り付け部６５とから構成されている。また、前記取り付け部６５には、細長の資料取り付け部材６６が予め取り付けられている。前記資料取り付け部材６６は、開口部６８を有する固定部材６７に取り付けられる。前記資料取り付け部材６６は、資料に開けられた孔にに通した後、前記固定部材６７の開口部６８に通す。
【０００３】
前記資料取り付け部材６６は、形状記憶部材の場合、そのまま折りまげることにより、資料が固定される。前記資料取り付け部材６６は、形状記憶部材でない場合、前記資料取り付け部材６６を抑える固定部材６７にスライド固定部のようなものを設ける必要がある。前記のようなファイルは、たとえば、特開２０００−３３５１６２号公報に記載されている。
【特許文献１】特開２０００−３３５１６２号公報
【発明の開示】
【発明が解決しようとする課題】
【０００４】
前記ファイルは、台紙部６３の取り付け部６５に細長の資料取り付け部材６６、および表紙部６２に固定部材６７を予め取り付けておく必要がある。前記資料取り付け部材６６および固定部材６７は、プラスチックまたは金具からなり、これらの加工費および取り付け費が必要であるため、安価なファイルを作製することができなかった。資料は、台紙６３の取り付け部６５に設けられたバネ等によって挟持されるものがあるが、台紙６３の取り付け部６５に紙等を挟む特別な金具が必要であった。
【０００５】
以上のような課題を解決するために、本発明は、ファイルを構成する紙またはプラスチックを成形するとともに、スリットまたは切込みを入れるだけで、特別の部品が全く不要な安価なファイルを提供することを目的とする。
【課題を解決するための手段】
【０００６】
（第１発明）
第１発明の資料を挟んで保管できるファイルは、表紙部、折り返されて前記表紙部とほぼ同じ大きさの台紙部、前記台紙部の内側に向かって折り返された前記台紙部より幅が狭い折り返し部とから構成される一枚の紙またはプラスチック製シートと、前記表紙部の側端部に一部が突出して設けられ、前記折り返し部に係合固定することができるタイトル記載兼固定部と、前記タイトル記載兼固定部が貫通する前記台紙と折り返し部の間、および前記折り返し部に設けられた並列な係合スリットと、前記折り返し部に設けられた前記資料の幅にほぼ等しい切込みからなる資料挟持スリットとから少なくとも構成されていることを特徴とする。
【０００７】
（第２発明）
第２発明のファイルにおいて、前記タイトル記載兼固定部および前記並列な係合スリットは、複数個設けられていることを特徴とする。
【０００８】
（第３発明）
第３発明のファイルにおいて、前記資料の幅にほぼ等しい資料挟持スリットは、複数設けられていることを特徴とする。
【０００９】
（第４発明）
第４発明のファイルにおいて、前記資料挟持スリットは、両端部に資料の厚さおよび／または幅を調整する斜めの切込みが連設されていることを特徴とする。
【００１０】
（第５発明）
第５発明のファイルにおいて、前記スリットには、補強用裏打ちが施されていることを特徴とする。
【発明の効果】
【００１１】
本発明によれば、紙またはプラスチックシートを折り返すための成形と、スリットを設けるだけであるため、作製が簡単で、しかも、安価なファイルであるにもかかわらず、資料が落下することがなく、確実に保持できるものである。
【００１２】
本発明によれば、資料を保持する切込み部を設けるだけで、特別の部材が不要であるため、作製が簡単で、安価なファイルを得ることができる。
【００１３】
本発明によれば、スリットまたは切込み部に補強用の裏当て部材を設けることにより、安価であるにもかかわらず、長期間の使用に耐えるものとすることがでる。
【発明を実施するための最良の形態】
【００１４】
（第１発明）
第１発明のファイルは、紙製資料または紙に近い素材からなる資料を特別な部材を用いることなく挟んで、落下することなく、保管できるものである。一枚の紙またはプラスチック製シートは、三つに折り返すことにより、表紙部、台紙部、折り返し部から構成される。前記台紙部は、前記表紙部とほぼ同じ大きさに折り返される。前記折り返し部は、内側に幅の狭い部分のみが折り返される。紙製ファイルは、折りまげ部に折りまげ跡を成形することにより折りまげが容易になる。また、プラスチック製ファイルは、折りまげ部に熱をかけて折りまげ跡を成形しておく必要がある。
【００１５】
前記表紙部の側端部には、一部が突出して設けられたタイトル記載兼固定部が設けられている。前記タイトル記載兼固定部は、前記表紙部を折り曲げて前記折り返し部の係合スリットに係合固定することができる。タイトル記載兼固定部は、ファイルを閉じる際にの固定部と兼用することができる。すなわち、前記タイトル記載兼固定部は、前記台紙と折り返し部の間、および前記折り返し部に設けられた固定用の並列な係合スリットに貫通することで固定される。また、前記資料は、ファイルから落下しないように、前記資料の幅にほぼ等しい資料挟持スリットが前記折り返し部に設けられている。前記係合スリットは、両端部が角形または半円形、その他の形状にして、前記タイトル記載兼固定部が貫通し易い形状にすることができる。
【００１６】
前記資料は、折り返し部の資料挟持スリットに挟み、表紙部を閉じるとともに、前記タイトル記載兼固定部を折り曲げ部および折り返し部に設けられた一対の係合スリットに貫通させることにより、特別な部材により固定しなくとも、落下することがなくファイルされる。
【００１７】
（第２発明）
第２発明のファイルは、タイトル記載兼固定部および前記並列なスリットを複数個設けることにより、複数の資料をファイルしても挟んだ資料毎にタイトルを記載して、分別することが容易にできる。前記タイトル記載兼固定部は、タイトルを記載せずに、ラベルを貼る場所として使用することもできる。前記タイトル記載兼固定部は、２個にした場合、一方をタイトル記載用として前記スリットから突出させ、他方を単んに固定用として、ファイルの側端部から突出しないようにすることができる。
【００１８】
（第３発明）
第３発明のファイルは、資料を挟むためのスリットが並列に複数個設けられている。前記複数個のスリットは、異なる種類の資料を分けて保管することができる。
【００１９】
（第４発明）
第４発明のファイルは、資料挟持スリットの両端部に資料の厚さおよび／または幅を調整する斜めの切込みが連設されている。前記斜めの切込みは、資料の厚さ、あるいは、幅を調整することができる長さである。前記斜めの切込みは、資料を挟むことにより、スリットとなる。
【００２０】
（第５発明）
前記紙またはプラスチック製ファイルは、資料の保持を繰り替えすことにより、スリットまたは切込み部の端部が切れる恐れがある。前記スリットまたは切込み部には、補強用裏打ちを施すことにより、繰り返しの使用に耐えるようにしている。
【実施例１】
【００２１】
図１（イ）および（ロ）は本発明における第１実施例であるファイルで、（イ）は折り畳んだ状態、（ロ）は拡げて資料を挟む前の状態を説明する図である。図１（イ）および（ロ）において、第１実施例のファイル１１は、資料（図示されていない）を止める特別な部材を用いることなく、紙製資料または紙に近い素材からなる資料を挟持することができる。
【００２２】
一枚の紙またはプラスチック製シートは、三つに折り返すことにより、表紙部１２、台紙部１３、資料を保持する幅の狭い折り返部１４とから構成される。前記台紙部１３は、前記表紙部１２とほぼ同じ大きさに折り返される。前記折り返し部１４は、内側に幅の狭い、資料を保持する部分が折り返される。紙製ファイルは、第１折りまげ部１２１および第２折りまげ部１３１を成形することにより折りまげが容易になる。また、プラスチック製ファイルは、前記第１折りまげ部１２１および第２折りまげ部１３１に熱をかけて折りまげ跡を成形しておく必要がある。
【００２３】
前記表紙部１２の側端部には、一部が突出して設けられたタイトル記載兼固定部１２２が設けられている。前記タイトル記載兼固定部１２２は、前記表紙部１２を折り曲げて前記折り返し部１４に設けられた挿入スリット１４３を通過した後、貫通スリット１４４を貫通し、外部に突出することにより固定される。前記挿入スリット１４３は、折り返し部１４に設けられている。また、前記貫通スリット１４４は、第２折りまげ部１３１に設けられている。また、前記挿入スリット１４３および貫通スリット１４４は、同じ長さで平行したスリットからなる。前記タイトル記載兼固定部１２２は、ファイルを閉じる際の固定部とファイルのタイトル記載部とを兼用するものである。
【００２４】
また、前記資料は、ファイルから落下しないように、前記資料の幅にほぼ等しい第１資料挟持スリット１４１および第２資料挟持スリット１４２が前記折り返し部１４に設けられている。前記資料挟持スリット１４１、１４２および挿入スリット１４３、貫通スリット１４４は、スリット以外に切込みであっても良い。また、前記資料挟持スリット１４１、１４２の両端部は、斜め上または下にスリットまたはと切込みを延長させることにより、資料の厚さおよび／または幅に対応できるようにしている。さらに、挿入スリット１４３および貫通スリット１４４の両端部は、角形または半円形、その他の形状にして、前記タイトル記載兼固定部が貫通し易い形状にすることができる。
【００２５】
前記資料は、折り返し部の資料挟持スリット１４１、１４２に挟み、表紙部１２を閉じるとともに、前記タイトル記載兼固定部１２２を折り返し部１４に設けられた挿入スリット１４３および第２折り曲げ部１３１に設けられた貫通スリット１４４に貫通させることにより、特別な部材により固定しなくとも、落下することがなくファイルされる。
【００２６】
図２（イ）から（ハ）は本発明における第１実施例であるファイルで、（イ）はファイルを拡げて、スリットを開けた状態、（ロ）は資料を挟んだ状態、（ハ）ファイルの側面を説明する図である。図２（イ）において、一枚の紙またはプラスチックは、図２（イ）に示されているように、外形が切断された後、第１折り曲げ部１２１、第２折り曲げ部１３１を成形すると同時に、挿入スリット１４３、貫通スリット１４４、および資料挟持スリット１４１、１４２を作製する。図２（ロ）において、成形されたファイル１１は、折り返し部１４が折り返された後、資料挟持スリット１４２に資料１５が挿入されている。
【００２７】
図２（ハ）において、ファイル１１は、表紙部１２を折り畳むことにより、資料１５の上を覆い、タイトル記載兼固定部１２２を挿入スリット１４３および貫通スリット１４４に貫通させることにより、資料１５が落下しないように保持される。
【実施例２】
【００２８】
図３（イ）から（ハ）は本発明における第２実施例であるファイルで、（イ）はファイルを折り畳んだ状態、（ロ）はファイルを拡げた状態、（ハ）ファイルに資料を挟んだ状態を説明する図である。図３（イ）から（ハ）において、実施例１と異なるところは、タイトル記載兼固定部３２２および３２３の２箇所に設けられている点、および前記タイトル記載兼固定部３２２および３２３を挿入または貫通するスリット３４３、３４４、３４５が設けられている点で、実施例１と異なっている。
【００２９】
前記タイトル記載兼固定部３２３は、タイトル記載兼固定部３２２より、低く突出しているため、貫通スリットがなく挿入スリット３４５のみになっている。実施例２は、二箇所において固定されているため、比較的多くの資料を挟持しても、前記資料が落下することがない。しかし、実施例１と同じ高さにして貫通スリットを設けることもできる。
【００３０】
前記ファイル３１は、タイトル記載兼固定部３２２、３２３を複数個設けることにより、複数の資料をファイルしても挟んだ資料毎にタイトルを記載して、分別することが容易にできる。前記タイトル記載兼固定部３２２、３２３は、タイトルを記載せずに、ラベルを貼る場所として使用することもできる。
【実施例３】
【００３１】
図４（イ）から（ハ）は本発明における第３実施例であるファイルで、（イ）はファイルの折り返し部を折り返した状態、（ロ）はファイルを拡げた状態、（ハ）ファイルに資料を挟んだ状態を説明する図である。図４（イ）から（ハ）において、第３実施例は、タイトル記載兼固定部４２２がほぼ中央部にある点、および切込み部４４１、４４２、４４３の３箇所に設けられている点で、第１実施例および第２実施例と異なっている。すなわち、本発明は、前記タイトル記載兼固定部、挿入スリット、貫通スリットの位置、および切込み部の本数は、必要に応じて任意にすることができる。
【実施例４】
【００３２】
図５は本発明におけるファイルの第４実施例を説明するための図である。図５において、ファイル５１は、挿入スリット５４３、貫通スリット５４２、切込み部５４１の周囲に補強用裏打ち５４４、５４５が設けられている。前記ファイルは、紙製である場合、資料あるいはディスク状記憶媒体の保持を繰り替えすことにより、前記挿入スリット５４３、貫通スリット５４２、切込み部５４１の端部が切れる恐れがある。前記挿入スリット５４３、貫通スリット５４２、切込み部５４１には、補強用裏打ち５４４、５４５を施すことにより、繰り返しの使用に耐えるようにしている。
【００３３】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明におけるファイルを作製する素材である紙またはプラスチック、あるいは、補強用裏打ち材は、公知または周知のものを使用することができる。
【図面の簡単な説明】
【００３４】
【図１】（イ）および（ロ）は本発明における第１実施例であるファイルで、（イ）は折り畳んだ状態、（ロ）は拡げて資料を挟む前の状態を説明する図である。（実施例１）
【図２】（イ）から（ハ）は本発明における第１実施例であるファイルで、（イ）はファイルを拡げて、スリットを開けた状態、（ロ）は資料を挟んだ状態、（ハ）ファイルの側面を説明する図である。
【図３】（イ）から（ハ）は本発明における第２実施例であるファイルで、（イ）はファイルを折り畳んだ状態、（ロ）はファイルを拡げた状態、（ハ）ファイルに資料を挟んだ状態を説明する図である。（実施例２）
【図４】（イ）から（ハ）は本発明における第３実施例であるファイルで、（イ）はファイルの折り返し部を折り返した状態、（ロ）はファイルを拡げた状態、（ハ）ファイルに資料を挟んだ状態を説明する図である。（実施例３）
【図５】本発明におけるファイルの第４実施例を説明するための図である。（実施例４）
【図６】従来、市販されている資料を挟むファイルを説明するための図である。
【符号の説明】
【００３５】
１１、３１、４１、５１・・・ファイル
１２、３２、４２、５２・・・表紙部
１２１、３２１、４２１、５２１・・・第１折り曲げ部
１２２、３２２、３２３、４２２、５２２・・・タイトル記載兼固定部
１３、３２、４２、５２・・・台紙部
１３１、３３１、４３１、５３１・・・第２折り曲げ部
１４、３４、４４、５４・・・折り返し部
１４１、３４１、４４１、５４１、・・・資料挟持スリット（第１切込み部）
１４２、４４２・・・資料挟持スリット（第２切込み部）
４４３・・・資料挟持スリット（第３切込み部）
１４３、３４３、４４５、５４３・・・挿入スリット
１４４、３４４、４４６、５４５・・・貫通スリット
１５、３５・・・資料
【図１】
0004411642.tif 000002
【図２】
0004411642.tif 000003
【図３】
0004411642.tif 000004
【図４】
0004411642.tif 000005
【図５】
0004411642.tif 000006
【図６】
0004411642.tif 000007